(57)【特許請求の範囲】
【請求項１】
車体側に揺動自在に支持されたペダルレバーの作動状態を検出すべく、車体側に固定された筒状のガイド部材に摺動自在に嵌合して当該ガイド部材より支持された接点開閉用のプランジャを備えるペダルスイッチにおける夾雑物の付着防止構造であって、
前記ペダルレバーにカップ形のストッパがその底部をもって固定装着され、前記ペダルレバーの非操作時に、前記プランジャの先端が前記ストッパの前記底部内面に当接し、前記ストッパの筒状のカップ形部分の内径寸法が、前記ガイド部材の先端部を緩く受容できる大きさに設定されており、前記ペダルレバーの非操作時に、前記ストッパの前記カップ形部分が前記ガイド部材及び前記プランジャの先端部を覆い、前記ペダルレバーの踏み込みにより、前記カップ形部分を含んで前記ストッパが前記ガイド部材及び前記プランジャの先端部より離れることを特徴とするペダルスイッチにおける夾雑物の付着防止構造。
【発明の詳細な説明】
【技術分野】
【０００１】
本発明は、ペダルの作動状態を検出するためのペダルスイッチにおける夾雑物の付着防止構造に関するものである。
【背景技術】
【０００２】
車体後部に設けられたストップランプを、ブレーキペダルに連動して点灯させるために、ブレーキペダルが踏み込まれたことを検出するペダルスイッチが自動車には設けられている。このペダルスイッチは、固定接点が組み込まれ且つ車体側に固定されたケーシングと、ケーシングに一体形成された筒状をなすガイド部材に摺合し且つ可動接点と連動連結されたプランジャとからなり、ガイド部材の先端開口から突出したプランジャのブレーキペダルの揺動運動に連動した進退移動により、固定接点と可動接点との間の電気的な導通を断続させるようになっている。
【０００３】
このペダルスイッチとして、柔軟な膜からなるシール部材を接点取付部の直前に装着し、塵埃などの夾雑物が接点部に侵入して接触不良を起こすことを防止するようにした構造が知られている（特許文献１の第６図を参照されたい）。
【特許文献１】特公平６−１０１２７２号公報
【発明の開示】
【発明が解決しようとする課題】
【０００４】
しかるに、上記従来の構造によると、プランジャのガイド部材から突出した部分に塵埃などが付着することは防止し得ないので、この部分に摺動不良が発生する可能性は払拭できない上、元来が小さな部品で成り立っているこの種のスイッチの内部に更にシール部材を組み込むことは、部品点数及び組立工数の増加を招き、スイッチの製造コストの増大に繋がるという不都合がある。
【課題を解決するための手段】
【０００５】
このような課題を解決し、部品点数及び組立工数の増加を招かずに、ペダルスイッチ７におけるプランジャ１５の摺動部に夾雑物が付着し難くするために、本発明の請求項１は、車体（３）側に揺動自在に支持されたペダルレバー（２）の作動状態を検出すべく、車体（３）側に固定された筒状のガイド部材（１４）に摺動自在に嵌合して当該ガイド部材（１４）より支持された接点開閉用のプランジャ（１５）を備えるペダルスイッチにおける夾雑物の付着防止構造であって、前記ペダルレバー（２）にカップ形のストッパ（９）がその底部（９ｂ）をもって固定装着され、前記ペダルレバー（２）の非操作時に、前記プランジャ（１５）の先端が前記ストッパ（９）の前記底部（９ｂ）内面に当接し、前記ストッパ（９）の筒状のカップ形部分（９ａ）の内径寸法が、前記ガイド部材の先端部を緩く受容できる大きさに設定されており、前記ペダルレバーの非操作時に、前記ストッパの前記カップ形部分が前記ガイド部材及び前記プランジャ（１５）の先端部を覆い、前記ペダルレバー（２）の踏み込みにより、前記カップ形部分（９ａ）を含んで前記ストッパ（９）が前記ガイド部材（１４）及び前記プランジャ（１５）の先端部より離れることを特徴としている。
【発明の効果】
【０００７】
このような本発明によれば、ペダルレバーの非操作時は、ガイド部材及びプランジャの先端部が常にストッパのカップ形部分（カバー）で覆われるので、塵埃などの夾雑物がプランジャの摺動部に付着せずに済む。特に、カバー（カップ形部分）をストッパに一体形成し得るので、別部材のカバーをスイッチに組み付ける必要が無いため、部品点数および組立工数の増加を招かずに済む。また、ストッパのカップ形部分（カバー）の内周径を相対的に大きくすることにより、各部材間の位置精度のばらつきに左右されずにストッパを組み付けることができる。
【発明を実施するための最良の形態】
【０００８】
以下に添付の図面を参照して本発明について詳細に説明する。
【０００９】
図１は、本発明が適用されたブレーキペダルの周辺を示している。このブレーキペダル１のレバー２は、ダッシュボードアッパ３の内面に固定されたペダルブラケット４に、その上端がピン５をもって揺動可能に支持されている。そしてレバー２の中間部が、図示されないマスターシリンダのピストンに連結されている。
【００１０】
ペダルブラケット４の上部には、スイッチブラケット６が一体的に設けられており、本発明に係るペダルスイッチ７が、このスイッチブラケット６に取り付けられている。
【００１１】
レバー２の側面には、ストッパブラケット８が溶接付けされている。このストッパブラケット８には、ペダルスイッチ７の取付位置と対応する位置に、比較的軟質なゴム材で形成されたストッパ９が取り付けられている。
【００１２】
ペダルスイッチ７は、図２に詳しく示したように、両端が開口し、且つ軸方向中間部に隔壁１１が設けられた筒状のケーシング１２と、ケーシング１２の一方の開口を塞ぐカバー１３と、カバー１３に一体形成された小径の筒状をなすガイド部１４に摺合したプランジャ１５と、ケーシング１２の一方の開口面側に設けられた固定接点１６と、中間隔壁１１と固定接点１６との間にコイルばね１７によって弾発的に浮動支持された可動接点１８と、プランジャ１５を突出方向へ弾発付勢するコイルばね１９と、固定接点１６に連結され、且つケーシング１２の他方の開口側に内設された端子ピン２０とからなっている。そしてケーシング１２の他方の開口側が、ストップランプ回路（図示せず）に固定接点を接続する雄カプラＣをなしている。
【００１３】
プランジャ１５は、ガイド部１４の開口からその先端を幾分か突出させた状態で抜け止めされており、コイルばね１９の弾発力に抗してプランジャ１５を押し込むことにより、プランジャ１５の内側端に押されて可動接点１８が固定接点１６から離間し、電気的な導通が断たれるようになっている。
【００１４】
このペダルスイッチ７は、ガイド部１４の外周面に形成された雄ねじを合成樹脂製のクリップ２１に形成された雌ねじに螺合することにより、スイッチブラケット６に固定される。
【００１５】
これにより、ブレーキペダル１の非操作時は、レバー２に設けられたストッパ９に当接してペダルスイッチ７のプランジャ１５が押し込まれ、ストップランプ回路への通電が断たれてストップランプが消灯する。そしてブレーキペダル１を踏み込むと、プランジャ１５の先端からストッパ９が離れてプランジャ１５が突出し、可動接点１８が固定接点１６に接触してストップランプ回路への電流が流れてストップランプが点灯する。
【００１６】
ストッパ９は、一方が開放されたカップ形をなし、その底壁９ｂがストッパブラケット８に取り付けられており、ブレーキペダル１の非操作時は、その底壁９ｂの内面にプランジャ１５の先端が当接するようになっている。そしてカップ形をなす部分９ａの内方にプランジャ１５及びガイド部１４の先端部を緩く受容するようになっている。このように、カップ形をなす部分９ａの内周径寸法を、ガイド部１４の先端部を緩く受容できる大きさとすることにより、各部材間の位置精度のばらつきに左右されずにストッパ９を組み付けることができる。
【００１７】
このストッパ９によると、ブレーキペダル１の非操作時は、ストッパ９のカップ形をなす部分９ａの内方に受容されてガイド部１４の開口端とプランジャ１５の先端部とが覆い隠されるため、プランジャ１５の摺動部に塵埃などの夾雑物が付着することが防止される。
【００１８】
ブレーキペダル１を踏み込んでいる間は、ガイド部１４の開口端およびプランジャ１５の先端部は露出するが、隠蔽されている時間に比して露出時間は圧倒的に少ないので、この間に及ぼされる影響は殆ど無視し得る。
【００１９】
以上、プランジャ１５に外力が加わると接点が開く、所謂常閉接点を持つスイッチを例示して本発明を詳しく説明したが、本発明は上記に限定されず、プランジャ１５に外力が加わると接点が閉じるように構成された常開接点のスイッチにも等しく適用可能である。更に、上記実施例は、ペダルストロークの初期に接点が閉じるものに対する適用例のみを上げたが、本発明は、例えば、クラッチペダルを一杯に踏み込まないとエンジンが始動できないようにするクラッチインターロック機構のように、ペダルが一杯に踏み込まれた時に接点が閉じるように構成されたものにも適用可能である。
【産業上の利用可能性】
【００２０】
本発明にかかるペダルスイッチにおける夾雑物の付着防止構造は、部品点数及び組立工数の増加を招かずに、ペダルスイッチにおけるプランジャの摺動部に塵埃などの夾雑物が付着することを防止し得るので、プランジャ式リミットスイッチ等の防塵構造として有用である。
【図面の簡単な説明】
【００２１】
【図１】本発明が適用されたブレーキペダル周辺の側面図である。
【図２】本発明が適用されたペダルスイッチの断面図である。
【符号の説明】
【００２２】
１  ブレーキペダル
２  レバー
７  ペダルスイッチ
９  ストッパ
９ａ  カップ状部分
１４  ガイド部
１５  プランジャ
【図１】
0004268494.tif 000002
【図２】
0004268494.tif 000003